【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
ビークルデータを自動的に取得するためのコンピュータによって実行される方法であって、
事象についてビークルから離れたところにあるビークル監視システムにて無線インターフェースでビークルを監視し、
ビークルによって無線インターフェースで送られた事象の受信に応答して、ポリシーに基づき該事象についてビークルデータが必要か否かを該ビークル監視システムにて決定し、
ビークルデータが必要であるとの決定に応答して、ビークルデータのリクエストを無線インターフェースでビークルに該ビークル監視システムから送信し、
ビークルから無線インターフェースでビークルデータを受信したことに応答して、ビークルデータを記憶し、
ビークルからビークルデータを受信した後に記憶されたビークルデータを該ビークル監視システムにて解析して一つの解析を形成し、
解析を使用して一連の故障状態を識別する
ことを含む、コンピュータによって実行される方法。
【請求項２】
ビークルが航空機であり、航空機が飛行している間に事象を受信し、さらに、
飛行中の航空機からビークルデータを受信した後に記憶されたビークルデータを、保守設備における地上局を有する該ビークル監視システムにて解析して、一つの解析を形成し、
航空機が飛行している間に、前記解析を使用して一連の故障状態を識別し、
航空機が航空機のミッションを完了する前に、一連の保守作業を生じさせる
ことを含む、請求項１に記載のコンピュータによって実行される方法。
【請求項３】
一連の故障状態の識別に応答して、一連の指令を生成する
ことをさらに含む、請求項１に記載のコンピュータによって実行される方法。
【請求項４】
解析ステップが、
ビークルデータを使用して根本原因解析法を行う
ことを含む、請求項１に記載のコンピュータによって実行される方法。
【請求項５】
一連の故障状態が、未来に起こりうる故障の識別を含む、請求項３に記載のコンピュータによって実行される方法。
【請求項６】
ビークルから無線インターフェースでビークルデータを受信したことに応答して、ポリシーに基づき更なるビークルデータが必要であるか否かを決定し、
ビークルデータが必要であるとの決定に応答して、無線インターフェースでビークルデータの追加のリクエストをビークルへ送信する
ことをさらに含む、請求項１に記載のコンピュータによって実行される方法。
【請求項７】
該ビークルデータが航空機内の列線交換ユニットによって生成される、請求項１に記載の方法。
【請求項８】
ビークルが、航空機、潜水艦、水上艦、自動車、トラック、軍用地上車、人員運搬車、及び宇宙船のうちの一つから選択される、請求項１、３、４、５、６または７の何れか一項に記載のコンピュータによって実行される方法。
【請求項９】
ビークルデータを監視するための装置であって、
ある事象についてビークルデータが必要である時の一連の状態を識別するポリシーを記憶する手段と、
事象について無線インターフェースでビークルを監視し；ビークルが無線インターフェースで送信した事象を受信したことに応答して、ポリシーに基づき前記事象についてビークルデータが必要か否かを決定し；ビークルデータが必要であるとの決定に応答して、ビークルデータのリクエストを無線インターフェースでビークルに送信し；ビークルから無線インターフェースでビークルデータを受信したことに応答して、ビークルデータを記憶することができるデータリクエストプロセス手段と、
データリクエストプロセス手段と該ポリシー記憶手段とが位置し該ビークルから離れているデータ処理システムと、
該データリクエストプロセス手段によって記憶された該ビークルデータを用いて一連の故障状態を識別することが可能な該データ処理システムにおける解析プロセス手段とを含む装置。
【請求項１０】
ビークルデータを自動的に取得するためのコンピュータに実行させるためのプログラムであって、
事象についてビークルから離れたところにあるビークル監視システムにて無線インターフェースでビークルを監視するステップと、
ビークルによって無線インターフェースで送られた事象の受信に応答して、ポリシーに基づき事象についてビークルデータが必要か否かを該ビークル監視システムにて決定するステップと、
ビークルデータが必要であるとの決定に応答して、ビークルデータのリクエストを無線インターフェースでビークルに該ビークル監視システムから送信し、
ビークルから無線インターフェースでビークルデータを受信したことに応答して、ビークルデータを記憶するステップと、
ビークルからビークルデータを受信した後に記憶されたビークルデータを該ビークル監視システムにて解析して一つの解析を形成するステップと、
解析を使用して一連の故障状態を識別するステップとを実行させるためのプログラム。
【手続補正２】
【補正対象書類名】明細書
【補正対象項目名】００９８
【補正方法】変更
【補正の内容】
【００９８】
選択された一又は複数の実施形態は、実施形態及び実際の応用形態の原理を最適に説明するため、また、当業者が、考えられる特定の使用に好適である様々な修正を施した様々な実施形態の開示を理解できるように選択され記載されたものである。
また、本願は以下に記載する態様を含む。
（態様１）
ビークルデータを自動的に取得するためのコンピュータによって実行される方法であって、
事象について無線インターフェースでビークルを監視し、
ビークルによって無線インターフェースで送られた事象の受信に応答して、ポリシーに基づき事象にビークルデータが必要か否かを決定し、
ビークルデータが必要であるとの決定に応答して、ビークルデータのリクエストを無線インターフェースでビークルに送信し、
ビークルから無線インターフェースでビークルデータを受信したことに応答して、ビークルデータを記憶する
ことを含む方法。
（態様２）
ビークルからビークルデータを受信した後に、記憶されたビークルデータを解析して一つの解析を形成し、
解析を使用して一連の故障状態を識別する
ことをさらに含む、態様１に記載のコンピュータによって実行される方法。
（態様３）
一連の故障状態の識別に応答して、一連の指令を生成する
ことをさらに含む、態様２に記載のコンピュータによって実行される方法。
（態様４）
解析ステップが、
ビークルデータを使用して根本原因解析法を行う
ことを含む、態様２に記載のコンピュータによって実行される方法。
（態様５）
ビークルが、航空機、潜水艦、水上艦、自動車、トラック、軍用地上車、人員運搬車、及び宇宙船のうちの一つから選択される、態様１に記載のコンピュータによって実行される方法。
（態様６）
一連の故障状態が、未来に起こりうる故障の識別を含む、態様２に記載のコンピュータによって実行される方法。
（態様７）
ビークルが航空機であり、航空機が飛行している間に事象を受信し、さらに、
飛行中の航空機からビークルデータを受信した後に、記憶されたビークルデータを解析して、一つの解析を形成し、
航空機が飛行している間に、前記解析を使用して一連の故障状態を識別し、
航空機が航空機のミッションを完了する前に、一連の保守作業を生じさせる
ことを含む、態様１に記載のコンピュータによって実行される方法。
（態様８）
ビークルから無線インターフェースでビークルデータを受信したことに応答して、ポリシーに基づき更なるビークルデータが必要であるか否かを決定し、
ビークルデータが必要であるとの決定に応答して、無線インターフェースでビークルデータの追加のリクエストをビークルへ送信する
ことをさらに含む、態様１に記載のコンピュータによって実行される方法。
（態様９）
ある事象に対してビークルデータが必要である時の一連の状態を識別するポリシーと、
事象について無線インターフェースでビークルを監視し；ビークルが無線インターフェースで送信した事象を受信したことに応答して、ポリシーに基づき前記事象にビークルデータが必要か否かを決定し；ビークルデータが必要であるとの決定に応答して、ビークルデータのリクエストを無線インターフェースでビークルに送信し；ビークルから無線インターフェースでビークルデータを受信したことに応答して、ビークルデータを記憶することができるデータリクエストプロセスと、
データリクエストプロセスとポリシーとが位置するデータ処理システムと
を含む装置。
（態様１０）
データリクエストプロセスによって記憶されたビークルデータを使用して、一連の故障状態を識別できる解析プロセス
をさらに含む、態様９に記載の装置。
（態様１１）
一連の故障に対して一連の指令を提示することができるユーザーインターフェース
をさらに含む、態様１０に記載の装置。
（態様１２）
ビークルデータが事象に対して状況に応じたビークルデータを含む、態様１１に記載の装置。
（態様１３）
ビークルデータを自動的に取得するためのコンピュータプログラム製品であって、
コンピュータによって書き込み可能な記憶媒体、
事象について無線インターフェースでビークルを監視するための、コンピュータによって書き込み可能な記憶媒体に記憶されたプログラムコード、
ビークルによって無線インターフェースで送信された事象の受信に応答して、ポリシーに基づき前記事象にビークルデータが必要か否かを決定するための、コンピュータによって書き込み可能な記憶媒体に記憶されたプログラムコード、
ビークルデータが必要であるとの決定に応答して、無線インターフェースでビークルデータのリクエストをビークルへ送信するための、コンピュータによって書き込み可能な記憶媒体に記憶されたプログラムコード、及び
ビークルから無線インターフェースでビークルデータを受信したことに応答して、ビークルデータを記憶するための、コンピュータによって書き込み可能な記憶媒体に記憶されたプログラムコード
を含む、コンピュータプログラム製品。